(57)【要約】【課題】  ミスト運転開始時に汚水がミストノズルから浴室内に噴出されるのを防止でき、衛生的なミストサウナ浴を快適に楽しむこと。【解決手段】  浴室１３内に温風を供給する暖房乾燥機本体２と、温水をミスト状に噴霧するミスト噴霧装置３とを備える。ミスト噴霧装置３は、ミストノズル１０と、ミスト用給水管路２０と、給水弁２２と、ミスト用熱交換器１１と、ノズル弁２４ａ，２４ｂとを備えると共に、ミスト用給水管路２０のノズル弁２４ａ，２４ｂよりも上流側から、ミスト運転開始時にミスト用給水管路２０内の水を抜くためのミスト用排水管路２１を分岐させ、このミスト用排水管路２１を排水弁２６により開閉する。【選択図】        図１
2005241224.tif 000002
【特許請求の範囲】
【請求項１】
浴室内に温風を供給する暖房乾燥機本体と、温水をミスト状に噴霧するミスト噴霧装置とを備え、上記ミスト噴霧装置は、ミストサウナ用の温水を噴霧するするミストノズルと、ミストノズルに水を供給するミスト用給水管路と、ミスト用給水管路に配置されて水の供給を制御する給水弁と、ミストノズルに供給される水を加熱するミスト用熱交換器と、ミスト用熱交換器とミストノズルとの間に配置されてミストノズルへの水の供給を制御するノズル弁とを備えると共に、ミスト用給水管路のノズル弁よりも上流側から、ミスト運転開始時にミスト用給水管路内の水を抜くためのミスト用排水管路を分岐させ、このミスト用排水管路を排水弁により開閉することを特徴とするミストサウナ機能付き浴室暖房乾燥機。
【請求項２】
上記ミスト運転開始時にノズル弁を閉じ且つ給水弁及び排水弁を開いてミスト用給水管路内の残水をミスト用排水管路から水抜きした後、排水弁を閉じ且つノズル弁を開いてミスト用給水管路への水の供給を再開する自動排水モードを有することを特徴とする請求項１記載のミストサウナ機能付き浴室暖房乾燥機。
【請求項３】
上記ノズル弁をミストノズルに近接して配置したことを特徴とする請求項１又は２記載のミストサウナ機能付き浴室暖房乾燥機。
【請求項４】
上記ノズル弁とミストノズルとの間に、空気置換防止用のチャッキ弁を介在させると共に、ノズル弁をチャッキ弁から離してミスト用熱交換器側に近接して配置してなることを特徴とする請求項１乃至請求項３のいずれかに記載のミストサウナ機能付き浴室暖房乾燥機。
【発明の詳細な説明】
【技術分野】
【０００１】
本発明は、ミストサウナ機能を有する浴室暖房乾燥機に関するものである。
【背景技術】
【０００２】
従来から、ミストサウナを実現するにあたり、水を加熱し、ミストノズルより少量の水をミスト状に噴霧すると共に、温風にて加熱することにより、浴室内でミストサウナ浴ができるようにしたものがある。
【０００３】
その一例として、液々熱交換器において熱源手段から熱媒循環路を通して供給される熱媒にて給水路を通して供給される水を加熱させ、その液々熱交換器にて加熱された湯水をミストノズルに供給することにより、液々熱交換器にて加熱された湯水をミスト状に噴出させるようにした浴用ミスト装置が知られている（例えば、特許文献１参照）。
【０００４】
ところが、上記特許文献１にみられる従来例では、ミスト運転後に、ミスト用湯水供給路の液々熱交換器とミストノズルとの間の水路部分に残存する残存湯水のみを、浴室内に排出させるようにしている。このため、ミスト装置を長期間使用しない場合、ミスト用湯水供給路に残存する水が汚れて滞留したり、或いは残存湯水に雑菌が繁殖したり、残存湯水自体が腐食したりし、ミスト運転開始時にその汚水がミストノズルから浴室内に噴出されることとなり、衛生上において好ましいことではない。
【特許文献１】特開２００３−３３４２３０号公報
【発明の開示】
【発明が解決しようとする課題】
【０００５】
本発明は上記の従来の問題点に鑑みて発明したものであって、ミスト運転開始時にミスト用給水管路内の汚れた水や残水がミストノズルから浴室内に噴出されるのを防止でき、これにより、衛生的なミストサウナ浴を快適に楽しむことができるミストサウナ機能付き浴室暖房乾燥機を提供することを課題とするものである。
【課題を解決するための手段】
【０００６】
前記課題を解決するために本発明に係るミストサウナ機能付き浴室暖房乾燥機は、浴室１３内に温風を供給する暖房乾燥機本体２と、温水をミスト状に噴霧するミスト噴霧装置３とを備え、上記ミスト噴霧装置３は、ミストサウナ用の温水を噴霧するするミストノズル１０と、ミストノズル１０に水を供給するミスト用給水管路２０と、ミスト用給水管路２０に配置されて水の供給を制御する給水弁２２と、ミストノズル１０に供給される水を加熱するミスト用熱交換器１１と、ミスト用熱交換器１１とミストノズル１０との間に介在されてミストノズル１０への水の供給を制御するノズル弁２４ａ，２４ｂとを備えると共に、ミスト用給水管路２０のノズル弁２４ａ，２４ｂよりも上流側から、ミスト運転開始時にミスト用給水管路２０内の水を抜くためのミスト用排水管路２１を分岐させ、このミスト用排水管路２１を排水弁２６により開閉することを特徴としている。
【０００７】
このような構成とすることで、ミスト噴霧装置３を長期間使用せずに、ミストノズル１０に水を供給するミスト用給水管路２０内に水が汚れて滞留している場合であっても、ミスト運転開始時にノズル弁２４ａ，２４ｂを閉じた状態で排水弁２６を開いてミスト用給水管路２０内の水をミスト用排水管路２１から抜くことにより、ミスト用給水管路２０内の汚れた水や残水を浴室１３外部に排水でき、その後、排水弁２６を閉じてノズル弁２４ａ，２４ｂを開くことによって、ミストノズル１０から浴室１３内に清浄な温水をミスト状に噴霧できるようになる。
【０００８】
また、上記ミスト運転開始時にノズル弁２４ａ，２４ｂを閉じ且つ給水弁２２及び排水弁２６を開いてミスト用給水管路２０内の残水をミスト用排水管路２１から水抜きした後、排水弁２６を閉じ且つノズル弁２４ａ，２４ｂを開いてミスト用給水管路２０への水の供給を再開する自動排水モードを有するのが好ましく、この場合、ミスト用給水管路２０内の汚れた水や残水の水抜き操作を自動的に行なうことが可能となり、手動操作による排水操作が不要となるため、衛生上好ましいものとしながら、快適操作を実現できる。
【０００９】
また、上記ノズル弁２４ａ，２４ｂをミストノズル１０に近接して配置するのが好ましく、この場合、ノズル弁２４ａ，２４ｂからミストノズル１０までの距離が短くなり、ミスト運転を停止してノズル弁２４ａ，２４ｂを閉じた後に、ノズル弁２４ａ，２４ｂとミストノズル１０との間のパイプ部分２８に溜まる水の量を極力減らすことができ、これにより運転停止後に、ミストノズル１０から自然に浴室１３内に抜けていく水（垂れ水）の量を減らすことができると共に、ノズル弁２４ａ，２４ｂとミストノズル１０との間のパイプ部分２８において、空気置換による水の汚染防止を図ることができる。
【００１０】
また、上記ノズル弁２４ａ，２４ｂとミストノズル１０との間に、空気置換防止用のチャッキ弁２９を介在させると共に、ノズル弁２４ａ，２４ｂをチャッキ弁２９から離してミスト用熱交換器１１側に近接して配置するのが好ましく、この場合、チャッキ弁２９とノズル弁２４ａ，２４ｂとの間のパイプ部分２８に溜まった水が空気置換によって汚染されることがなくなり、汚染された水を噴出することのない衛生上の効果が得られ、そのうえ、ノズル弁２４ａ，２４ｂをチャッキ弁２９から離してミスト用熱交換器１１側近くに配置することにより、電磁弁等のようなノズル弁２４ａ，２４ｂの配線などの組み立て性が良好になる効果も同時に得られる。
【発明の効果】
【００１１】
本発明に係るミストサウナ機能付き浴室暖房乾燥機は、ミスト運転開始時にミスト用給水管路内の汚れた水や残水がミストノズルから浴室内に噴出されるのを防止できるので、衛生的なミストサウナ浴を快適に楽しむことができる。
【発明を実施するための最良の形態】
【００１２】
以下、本発明を添付図面に示す実施形態に基いて説明する。
【００１３】
図１は本実施形態のミストサウナ機能付き浴室暖房乾燥機１の一例を示し、図２（ａ）（ｂ）は自動排水モードの動作状態を示し、図３は浴室１３の一例を示し、図４はミストサウナ機能付き浴室暖房乾燥機１の断面図を示し、図５はミストサウナ機能付き浴室暖房乾燥機１を下方から見た斜視図を示している。なお、図４中の５０は換気ファン５１を備えた送風機、５２は循環ファン５を備えた送風機、５３はグリル板、５４は温風吹き出し口、５５は可動ルーバー、５６ａはミスト噴霧装置３のノズル弁２４ａ，２４ｂ等を収納する弁ボックス、５７は吸い込み口であり、図５中の５８は暖房乾燥機本体２を吊り下げる吊り金具である。なお、図５の仕様は、換気ファン５１を暖房乾燥機本体２に内蔵している図４とは異なり、換気ファン５１をファンボックス７０に内蔵させて暖房乾燥機本体２に取り付けるタイプのものである。図５中の７１は排気用の接続口、７２、７３は脱衣室やトイレの吸気用の接続口である。
【００１４】
上記ミストサウナ機能付き浴室暖房乾燥機１は、図１、図３〜図６に示すように、浴室１３の天井部に設置され、浴室１３内に温風を供給する暖房乾燥機本体２と、温水をミスト状に噴霧するミスト噴霧装置３と、浴室を所定温度に制御する制御部４とを備えている。浴室１３の外部には給湯機能付き熱源機１４が設置され、浴室１３内の壁にはリモコン操作部１５が設置されている。このリモコン操作部１５には、例えば、暖房運転スイッチ、換気運転スイッチ、乾燥運転スイッチ、涼風運転スイッチ以外に、ミスト運転スイッチ等が設けられている。なおワイヤレスリモコンでも同様である。
【００１５】
上記暖房乾燥機本体２は、図１に示す例では、給湯機能付き熱源機１４（図３）と接続して熱源機１４から供給される温水が循環する暖房用温水管路１６を有している。暖房用温水管路１６の途中には、熱源機１４からの温水により加熱される温風用熱交換器７が設けられ、この温風用熱交換器７の上流に温水の供給を制御する温風用制御弁８（本例では熱動弁８ａ）が配置されている。温風用熱交換器７の上方には、駆動モータにより回転する循環ファン５が配置され、熱動弁８ａを開放することで、循環ファン５からの風が温風用熱交換器７により加熱され、下方の温風吹き出し口５４から浴室１３内に供給されるようになっている。また、暖房乾燥機本体２内には、浴室温度を検知するサーミスタ等の浴室温度センサー９が配置されていると共に、暖房用温水管路１６の温水温度を検知するサーミスタ等の温水温度センサー１７が配置されている。
【００１６】
さらに、上記暖房用温水管路１６の上流側と下流側は、ミスト加熱用管路１９を介してバイパス接続されている。ミスト加熱用管路１９の上流端部は、暖房用温水管路１６の熱動弁８ａよりも上流位置に分岐接続され、ミスト加熱用管路１９の下流端部は、暖房用温水管路１６の温風用熱交換器７よりも下流位置に分岐接続されている。
【００１７】
一方、ミスト噴霧装置３のミストボックス５６は、図４に示すように、暖房乾燥機本体２のボックス上部に載設されている。ミストボックス５６内には、ミスト用給水管路２０及びミスト用排水管路２１が配管されている。ミスト用給水管路２０の上流端には、電磁弁等のような給水弁２２、ストレーナ２３を介して、外部の水道管が接続されている。ミスト用給水管路２０の途中にはミスト用熱交換器１１が配置され、それよりも下流には第１及び第２ノズル弁２４ａ，２４ｂを介して、ミストサウナ用の温水を噴霧するする一対のミストノズル１０が配設されている。ここでは、一方のミストノズル１０は、マイルドなミストサウナ（ミスト噴霧量が例えば０．５リットル／ｍｉｎ）を得るためのものであり、他方のミストノズル１０はハードなミストサウナ（ミスト噴霧量が例えば１．０リットル／ｍｉｎ）を得るためのものである。なお、第１及び第２ノズル弁２４ａ，２４ｂは、一対のミストノズル１０，１０を切り換える電磁弁からなり、本例ではノズル弁２４ａ，２４ｂは対応するミストノズル１０に各々近接して配置されている。
【００１８】
上記ミスト用熱交換器１１は、例えば図７に示すように、複数枚の波状をした伝熱プレート７ａを積層したプレート式の液・液熱交換器で構成されている。このミスト用熱交換器１１の一次側にはミスト用給水管路２０が接続され、二次側には暖房用温水管路１６が接続され、ミスト用給水管路２０に配置したミスト用制御弁１２（本例では水比例弁１２ａ）を開くことで、ミスト用熱交換器１１の一次側に温水が供給され、これにより二次側を通過する水が加熱されて、ミストノズル１０に供給されるようになっている。また、ミスト用給水管路２０にはミスト噴霧温度を検知するサーミスタ等のようなミスト温度センサー１８が配置されている。
【００１９】
上記ミスト用給水管路２０のミスト用熱交換器１１とノズル弁２４ａ，２４ｂとの間からミスト用排水管路２１が分岐している。ミスト用排水管路２１は、電磁弁等のような排水弁２６及びバキュームブレーカー２７を介して、外部の排水管に接続されており、ミスト運転開始時に、ノズル弁２４ａ，２４ｂを閉じた状態で排水弁２６を開くことで、ミスト用給水管路２０内の水をミスト用排水管路２１を通して排水できるようになっている。なお、バキュームブレーカー２７はミスト用排水管路２１内の汚れた水がミスト用給水管路２０側に逆流するのを防止する働きをする。
【００２０】
さらに上記ミスト噴霧装置３は、ミスト運転開始時にノズル弁２４ａ，２４ｂを閉じ且つ給水弁２２及び排水弁２６を開いてミスト用給水管路２０内の残水をミスト用排水管路２１から水抜きした後、排水弁２６を閉じ且つノズル弁２４ａ（又は２４ｂ）を開いてミスト用給水管路２０への水の供給を再開する自動排水モードを有している。本例の制御部４は、図６に示すように、浴室温度センサー９、温水温度センサー１７、ミスト温度センサー１８からの各検知信号を受信すると共に、リモコン操作部１５から指令されるリモコン信号に基づいて各々に対応する運転を実行するマイクロコンピュータにより構成されている。
【００２１】
次に、排水動作を説明する。ミスト運転指令のスイッチ操作が行なわれると、制御部４は直ちに自動排水モードを実行する。先ず、図２（ａ）のようにノズル弁２４ａ，２４ｂを閉じ且つ給水弁２２及び排水弁２６を開いて、ミスト用給水管路２０に水を供給する。このときの水圧によってミスト用給水管路２０内の汚れた水や残水は、ミスト用排水管路２１を通って外部に排水されることになる。このとき、ノズル弁２４ａ，２４ｂは閉止状態にあるため、汚れた水や残水がミストノズル１０から噴霧されることはない。この水抜きを所定時間（例えば、１分間）行なった後に、図２（ｂ）のように、排水弁２６を閉じ、ミスト用の熱動弁８ａを開いて温水によって温風用熱交換器７を加熱する。ミスト用熱交換器１１が温まると、一方のノズル弁２４ａ（例えば、マイルドミストサウナ用）を開いてミスト噴霧（例えば、６０℃）を開始すると共に、循環ファン５が駆動する。なお、図２中において各弁の開閉状態をわかり易くするため、閉状態にある弁を黒く塗り潰している。また図２（ｂ）では第１ノズル弁２４ａの方を開いているが、第２ノズル弁２４ｂの方を開けばハードミストサウナに切り換えることができる。
【００２２】
上記構成によれば、ミスト噴霧装置３を長期間使用せずに、ミストノズル１０に水を供給するミスト用給水管路２０内に水が汚れて滞留している場合であっても、ノズル弁２４ａ，２４ｂを閉じた状態で排水弁２６を開いてミスト用給水管路２０内の水をミスト用排水管路２１から排出することにより、ミスト用給水管路２０内の汚れた水や残水を浴室１３外部に水抜きでき、レジオネラ菌などの雑菌対策も万全となる。その後、排水弁２６を閉じてノズル弁２４ａ，２４ｂを開くことによって、上水がミスト用給水管路２０に供給されるので、ミストノズル１０から浴室１３内に清浄な温水を噴出できるようになり、衛生的なミストサウナ浴を快適に楽しむことができる。
【００２３】
また本例では、ミスト運転開始と同時に自動的に排水動作が行なわれるので、手動操作による煩わしい排水のための別操作を行うこと必要がなく、快適操作を実現できると共に、排水のための別操作を忘れてしまって汚れたミストを浴びて不愉快な思いをすることもなくなる。
【００２４】
また、万が一、ミスト用熱交換器１１に穴があくことがあっても、自動排水モード時においては、漏れた暖房用温水はミスト用給水管路２０からミスト用排水管路２１から排水されるため、ミストノズル１０から出ることがない。また、排水後の通水状態では、暖房用温水の漏れ出す水圧よりも、ミスト用給水管路２０に供給される水圧の方が高いため、暖房用温水がミストノズル１０から出ることがない。従って、ミストサウナ浴の安全性を高めることができる。
【００２５】
さらに本例では、ノズル弁２４ａ，２４ｂを対応するミストノズル１０に各々近接して配置しているので、ノズル弁２４ａ，２４ｂとミストノズル１０との間のパイプ部分２８の距離が短くなる。従って、ミスト運転を停止してノズル弁２４ａ，２４ｂを閉じた後に、パイプ部分に溜まる水の量を極力減らすことができ、これにより、運転停止時においてミストノズル１０から自然に抜けていく水（垂れ水）の量を減らすことができる。そのうえ、運転停止後において、ミストノズル１０からパイプ部分２８に空気が侵入する、いわゆる、空気置換がおこるが、本例ではパイプ部分２８の距離が短くなっているため、空気置換の容積を極力減らすことができ、これにより、空気置換による水の汚染を極力防止できる利点もある。
【００２６】
なお前記実施形態では、ミスト用給水管路２０内の水抜きを自動排水モードで行なう場合を説明したが、必ずしも自動で行なう場合に限らず、例えば、手動操作でノズル弁２４ａ，２４ｂ、給水弁２２及び排水弁２６を開閉操作を行なう場合も含まれる。
【００２７】
図８は、図１の変形例であり、ノズル弁２４ａ，２４ｂとミストノズル１０との間のパイプ部分２８に、一定の水圧がかかったときに開放されるチャッキ弁２９を配置した場合の一例を示している。チャッキ弁２９は、図９に示すように、非使用時は閉じており、空気置換防止弁として機能する。図８中の３０はＣ形止め輪である。本例では、チャッキ弁２９によってミストノズル１０からの空気の侵入を防止できるため、チャッキ弁２９とノズル弁２４ａ，２４ｂとの間のパイプ部分２８に溜まった水が空気置換によって汚染されることがなくなり、汚染された水を噴出することのない衛生上の効果が得られる。また、チャッキ弁２９を暖房乾燥機本体２に内蔵される弁ボックス５６ａ（図４）に収納し、ノズル弁２４ａ，２４ｂをチャッキ弁２９から距離をあけてミストボックス５６内のミスト用熱交換器１１側近くに配置しているので、電磁弁からなるノズル弁２４ａ，２４ｂの配線などの組み立て性が良好になる効果も同時に得られる。
【図面の簡単な説明】
【００２８】
【図１】本発明の一実施形態のミストサウナ機能付き浴室暖房乾燥機の配管構造の説明図である
【図２】（ａ）（ｂ）は同上の自動排水モードの説明図である。
【図３】同上の浴室の天井部にミストサウナ機能付き浴室暖房乾燥機を設置した場合の斜視図である。
【図４】同上のミストサウナ機能付き浴室暖房乾燥機の断面図である。
【図５】同上のミストサウナ機能付き浴室暖房乾燥機を下方から見た斜視図である。
【図６】同上の制御部に関連するブロック図である。
【図７】同上のミスト用熱交換器の伝熱プレートの説明図である。
【図８】本発明の他の実施形態の説明図である。
【図９】同上のチャッキ弁の構成図である。
【符号の説明】
【００２９】
１  ミストサウナ機能付き浴室暖房乾燥機
２  暖房乾燥機本体
３  ミスト噴霧装置
１０  ミストノズル
１１  ミスト用熱交換器
１３  浴室
２０  ミスト用給水管路
２１  ミスト用排水管路
２２  給水弁
２４ａ，２４ｂ  ノズル弁
２６  排水弁
【図１】
2005241224.tif 000003
【図２】
2005241224.tif 000004
【図３】
2005241224.tif 000005
【図４】
2005241224.tif 000006
【図５】
2005241224.tif 000007
【図６】
2005241224.tif 000008
【図７】
2005241224.tif 000009
【図８】
2005241224.tif 000010
【図９】
2005241224.tif 000011